(57)【要約】【課題】薬物塗布器を利用して頭皮または顔に直接薬物を塗布しつつ、頭皮または顔を管理できるように構成した薬液塗布装置を提供する。【解決手段】ハウジング１０と、バッテリ２０から電力の供給を受け、これを機械的な回転運動に変換させてモータ軸３１を自由回転させる回転モータ３０と、前記回転モータ３０に機械的に連結し、回転モータ３０のモータ軸３１と結合及び分離を繰り返しながら昇下降動作をする上下駆動シリンダ４０と、前記上下駆動シリンダ４０を弾性支持する昇下降保持用弾性ばね５０と、前記上下駆動シリンダ４０の内側に嵌挿され、上下駆動シリンダ４０の動きに誘導して上下に流動しながら頭皮及び顔に薬物を供給する薬物塗布器６０とを備えて構成される。【選択図】図１
2019198463.tif 000002
【特許請求の範囲】
【請求項１】
ハウジングと、
前記ハウジングの内部に設けられ、外部から電力の供給を受けて電気を充電後、装置に電気を提供するバッテリと、
前記バッテリに電気的に接続され、バッテリから電力の供給を受け、これを機械的な回転運動に変換させてモータ軸を自由回転させ、前記モータ軸は、底面が波形形状からなり、屈曲された波形形状が連続的に回転する回転モータと、
前記回転モータに機械的に連結し、回転モータの回転を往復垂直運動に切り換えて上下に昇下降しながら流動し、回転モータのモータ軸と回転軸とを介して相互連結し、回転モータのモータ軸と結合及び分離を繰り返しながら昇下降動作をする上下駆動シリンダと、
前記上下駆動シリンダの外周縁に設置し、一側がハウジング内側の係止爪に固定され、他側が上下駆動シリンダの係止爪に固定され、上下駆動シリンダを弾性支持して上下駆動シリンダが昇下降作動を維持できるようにする昇下降保持用弾性ばねと、
前記上下駆動シリンダの内側に嵌挿され、全体的にシリンダ形状で、底面に薬物通過用ホール及び針が複数個設けられてなり、上下駆動シリンダの動きに誘導して上下に流動しながら頭皮または顔に薬物を供給する薬物塗布器と、
一側は薬物塗布器に結合され、他側はハウジングの一端に結合され、ハウジングを基準に上下駆動シリンダ及び薬物塗布器を同時に臨時固定して、上下駆動シリンダ及び薬物塗布器が昇下降により流動しながらも薬物塗布器が重力作用によって下方へ落ちることを防ぎ、薬物塗布器を交替する場合、ボタンを押してハウジングを基準に薬物塗布器の固定を解除させて、薬物塗布器が上下駆動シリンダから脱離して下部に脱去されるようにする塗布器臨時固定手段と、
を備えて構成することを特徴とする薬物塗布装置。
【請求項２】
終端が鋭いくさび形態からなり、上下駆動シリンダの結合ホール及び薬物塗布器の結合ホールを介して強制嵌挿されて、薬物塗布器が上下駆動シリンダの内周縁に結合された状態を維持させる係止用フックと、
前記係止用フックに斜線方向に一体に連結され、回転運動によって係止用フックが時計方向または反時計方向に動くように導く連結片と、
前記連結片と係止用フックとの間に設けられ、連結片が回転されることを支持する回転保持用ヒンジと、
前記連結片と上下駆動シリンダとの間に設けられ、連結片を外側へ押して係止用フックが時計反対方向に流動して薬物塗布器が上下駆動シリンダに結合された状態を維持させる機能をし、外部の力によって連結片が押されて上下駆動シリンダ方向に圧着されれば、係止用フックが上下駆動シリンダ及び薬物塗布器から分離されつつ、薬物塗布器が上下駆動シリンダから脱去されるように導く保持用ばねと、
前記連結片の終端部に設けられ、上下駆動シリンダの上下流動によって係止用フック及び連結片が上下に動くとき、同時に動く摺動流動片と、
前記摺動流動片と摺動結合されて摺動流動片の上下動を支持し、薬物塗布器を交替するときに上下駆動シリンダ方向にプッシュして連結片を押すことにより、連結片が回転保持用ヒンジを中心に回転するようになり、係止用フックが上下駆動シリンダ及び薬物塗布器から分離されつつ、薬物塗布器が上下駆動シリンダから脱去されるように導くプッシュボタンと、
を備えて構成することを特徴とする薬物塗布装置。
【請求項３】
前記薬物塗布器は、容器形態からなり、頭皮または顔供給用薬物を収納した薬液保存手段をさらに内蔵させてなることを特徴とする請求項１に記載の薬物塗布装置。
【請求項４】
前記ハウジングの下部に結合し、薬物塗布器の枠面下端に突出され、薬物塗布器を頭皮に衝突時に薬物塗布器と頭皮との間を所定間隔離隔させ、薬物が頭皮から所定距離離隔した状態で散布されるように導く間隔材をさらに備えて構成することを特徴とする請求項１に記載の薬物塗布装置。
【請求項５】
前記上下駆動シリンダが左右に回転されず、上下動だけが可能なように第１のストッパ装置を付設し、
前記第１のストッパ装置は、ハウジングの内周縁に設けられる一対のガイド用パネルと、前記ガイド用パネルに結合されるように上下駆動シリンダの外周縁一端に設けられるガイド片とからなることを特徴とする請求項１に記載の薬物塗布装置。
【請求項６】
前記薬物塗布器が上下に流動するとき、上下駆動シリンダ内部で回転されることを防止するために、第２のストッパ装置を付設し、
前記第２のストッパ装置は、上下駆動シリンダ内部に設けられるガイドホールと、薬物塗布器の外周縁に形成されるガイド突起とを備えてなることを特徴とする請求項１に記載の薬物塗布装置。
【請求項７】
前記薬物塗布器の殺菌のための紫外線ＬＥＤをさらに設けてなることを特徴とする請求項１に記載の薬物塗布装置。
【請求項８】
前記薬物塗布器の外周縁には、ユーザに光治療効果を導く赤外線ＬＥＤをさらに設けてなることを特徴とする請求項１に記載の薬物塗布装置。
【発明の詳細な説明】
【技術分野】
【０００１】
本発明は、薬物塗布装置に関し、特に、薬物塗布器をハウジングに内蔵し、前記薬物塗布器を上下に駆動する駆動手段を付設し、前記薬物塗布器を利用して頭皮または顔に直接薬物を塗布しつつ、頭皮または顔を管理できるように構成したことを特徴とする薬物塗布装置に関する。
【背景技術】
【０００２】
一般に、皮膚は、乾燥しやすいが、このようになる場合、様々なマッサージや保湿を介して乾燥化または老化等を抑制できなければならない。皮膚の中でも頭皮の健康は脱毛と直結するので、極めて重要である。脱毛の原因は、大別して、遺伝的な要因と非遺伝的な要因とに分けることができ、この中で遺伝的な要因は先天的なものであり、脱毛を防ぐための努力をするとしても、脱毛の進行を抑制することは容易でないが、非遺伝的な脱毛の原因は、各種疾病や肉体的なストレス、または精神的なストレスの累積にあり、これにより脱毛が促進されることがある。
【０００３】
医学的にみるとき、脱毛現象を根本的になくすことはできないが、現在の状態で脱毛がそれ以上進行することを抑制するための各種の方法が工夫されており、そのうち、頭皮に一定の強さの刺激を与えながら血液循環を促進し、毛根を強化させて脱毛を減らすための方案が提示されている。
【０００４】
特許文献１（大韓民国登録実用新案第２０−０４３９１０６号−マイクロニードルを用いた頭皮管理機）に開示されたマイクロニードルを用いた頭皮管理機は、所定間隔でマイクロニードルを形成したニードルベースを半円状の本体部の一側と他側に結合し、本体部の左右側面にニードルベースと本体部の脱離を防止するように、半円板ディスクをボルトにより締め付け、本体部の上端には、取っ手部を形成して、頭皮管理の際、ユーザが手に取って容易に使用できるようにし、取っ手部と本体部との間に本体部と取っ手部とを連結する垂直支持台を形成した構造からなる。
【０００５】
ニードルベースは、両側面に固定結合突起を形成して、本体部の一側と他側に複数形成された固定結合溝に結合されるように構成し、半円板ディスクは、枠に係止爪を形成して、本体部とニードルベースとが脱離されないようにする。
【０００６】
ところが、特許文献１に記載のマイクロニードルを用いた頭皮管理機は、頭皮管理の際、取っ手部を頭皮と密着させた後、左右に振ってニードルベースのマイクロニードルが頭皮に当接するようにしなければならず、長い時間を使用するとき、手動作業による肩の痛みなどを誘発して使用上の不便を招き、さらに、単にマイクロニードルにのみ依存して頭皮に刺激を与えるため、頭皮治療の効果を大きく期待できないという限界を抱えている。
【０００７】
一方、これを解決するために、特許文献２（登録特許第１０−１８２０７１１号‐皮膚管理機（２０１８年１月２２日公告））に開示された皮膚管理機が案出されたところ、上記特許の主な技術内容をみると、スイッチのオンによってバッテリの電源で駆動されるモータを内蔵したハウジングと、上部大径孔及び下部小径孔に連通されるとともに、前記モータを直立固定させる上部板を支持しつつ、前記ハウジングに結合されたメイントランクと、サイン波形駆動カムラインを持つ上部円筒軸及び前記下部小径孔に達するまで挟まれて下部に露出する下部長軸を有しつつ、前記モータの駆動に合わせて回転されるシャフトと、前記下部小径孔上に装着される上部ばねと、前記サイン波形駆動カムラインに連動されるサイン波形被動カムラインを持つ上部昇降筒及び前記下部長軸を収容するとともに、前記上部ばねを通過して前記下部小径孔に達するまで挟まれる下部昇降筒を備えながら、前記上部ばねにより弾性昇降される昇降筒と、センターホールを有するとともに、下部筒溝を備えて、前記メイントランクに装着されるサブトランクと、前記センターホール上に装着される下部ばねと、前記下部ばねを通過しながら、前記センターホールを経由して前記下部筒溝に露出し、前記昇降筒の下部昇降筒が下降する場合、瞬間下降し、前記下部昇降筒が上昇する場合、前記下部ばねにより弾性的に上昇して前記シャフトの下部長軸に噛み合うとともに瞬間回転される昇降回転軸と、皮膚を刺激する刺激棒を有するとともに、前記下部筒溝に挟まれながら前記昇降回転軸に固定され、前記サイン波形駆動カムライン及びサイン波形被動カムラインの相互連動によって瞬間昇降に続いて瞬間回転される昇降回転刺激体を備えてなることが特徴である。
【０００８】
前記特許技術は、スイッチのオンによってバッテリの電源で駆動されるモータを活用して刺激棒の自動昇降により皮膚、例えば、頭皮をマッサージできるようにして、使用上の便利さを大きく増進させることができる皮膚管理機を提供するところ、昇降筒の昇降動作によって刺激棒が針の場合、下降時には、皮膚、例えば、頭皮を微細に刺すことができるようにし、上昇時には、昇降回転刺激体の回転方向位置変更を保障して、針が皮膚、例えば、頭皮を刺した状態で回転される場合、傷が生じる恐れを事前に防止できるようにする皮膚管理機を提供する技術である。
【０００９】
しかし、前記登録特許は、垂直往復と回転機能を備えなければならないので、複雑な構造を有するという問題があり、特に、頭皮を刺した状態で回転されることを防止しなければならないので、必要以上に非常に複雑になる構造を有するようになり、故障が多く発生し、維持補修が難しくなるという問題がある。
【００１０】
なお、モータの回転運動が垂直往復運動と回転運動とに分離されるので、装置の動作が円滑に進行され得ないという問題があった。
【００１１】
また、前記特許は、ワンタッチによる分離着脱が容易でなく、分離過程で手が汚染され得るという問題がある。
【先行技術文献】
【特許文献】
【００１２】
【特許文献１】大韓民国登録実用新案第２０−０４３９１０６号
【特許文献２】大韓民国登録特許第１０−１８２０７１１号
【発明の概要】
【発明が解決しようとする課題】
【００１３】
本発明は、上記のような問題を解決しようとするものであって、本発明は、薬物塗布器の円滑な昇下降がなされるとともに、回転作動がなされないようにストッパを備えることにその目的がある。
【００１４】
また、本発明は、ワンタッチによって薬物塗布器の結合及び分離が可能なように装置を構成することにその目的がある。
【００１５】
また、本発明は、薬物塗布器の殺菌のために、殺菌用紫外線ＬＥＤを付設することにその目的がある。
【００１６】
また、本発明は、頭皮に紫外線を放射するための赤外線ＬＥＤグループを配置することにその目的がある。
【課題を解決するための手段】
【００１７】
上記目的を達成するための手段として、本発明にかかる薬液塗布装置は、ハウジング（１０）と、前記ハウジング（１０）の内部に設けられ、外部から電力の供給を受けて電気を充電後、装置に電気を提供するバッテリ（２０）と、前記バッテリ（２０）に電気的に接続され、バッテリ（２０）から電力の供給を受け、これを機械的な回転運動に変換させてモータ軸（３１）を自由回転させ、前記モータ軸（３１）は、底面が波形形状からなり、屈曲された波形形状が連続的に回転する回転モータ（３０）と、前記回転モータ（３０）に機械的に連結し、回転モータ（３０）の回転を往復垂直運動に切り換えて上下に昇下降しながら流動し、回転モータ（３０）のモータ軸（３１）と回転軸とを介して相互連結し、回転モータ（３０）のモータ軸（３１）と結合及び分離を繰り返しながら昇下降動作をする上下駆動シリンダ（４０）と、前記上下駆動シリンダ（４０）の外周縁に設置し、一側がハウジング（１０）内側の係止爪に固定され、他側が上下駆動シリンダ（４０）の係止爪に固定され、上下駆動シリンダ（４０）を弾性支持して上下駆動シリンダ（４０）が昇下降作動を維持できるようにする昇下降保持用弾性ばね（５０）と、前記上下駆動シリンダ（４０）の内側に嵌挿され、全体的にシリンダ形状で、底面に薬物通過用ホール（６１）及び針（６２）が複数個設けられてなり、上下駆動シリンダ（４０）の動きに誘導して上下に流動しながら頭皮または顔に薬物を供給する薬物塗布器（６０）と、一側は薬物塗布器（６０）に結合され、他側はハウジング（１０）の一端に結合され、ハウジング（１０）を基準に上下駆動シリンダ（４０）及び薬物塗布器（６０）を同時に臨時固定して、上下駆動シリンダ（４０）及び薬物塗布器（６０）が昇下降により流動しながらも薬物塗布器（６０）が重力作用によって下方へ落ちることを防ぎ、薬物塗布器（６０）を交替する場合、ボタンを押してハウジング（１０）を基準に薬物塗布器（６０）の固定を解除させて、薬物塗布器（６０）が上下駆動シリンダ（４０）から脱離して下部に脱去されるようにする塗布器臨時固定手段（８０）と、を備えて構成することを特徴とする。
【００１８】
また、本発明の薬液塗布装置では、終端が鋭いくさび形態からなり、上下駆動シリンダ（４０）の結合ホール及び薬物塗布器（６０）の結合ホールを介して強制嵌挿されて、薬物塗布器（６０）が上下駆動シリンダ（４０）の内周縁に結合された状態を維持させる係止用フック（８１）と、前記係止用フック（８１）に斜線方向に一体に連結され、回転運動によって係止用フック（８１）が時計方向または反時計方向に動くように導く連結片（８２）と、前記連結片（８２）と係止用フック（８１）との間に設けられ、連結片（８２）が回転されることを支持する回転保持用ヒンジ（８３）と、前記連結片（８２）と上下駆動シリンダ（４０）との間に設けられ、連結片（８２）を外側へ押して係止用フック（８１）が時計反対方向に流動して薬物塗布器（６０）が上下駆動シリンダ（４０）に結合された状態を維持させる機能をし、外部の力によって連結片（８２）が押されて上下駆動シリンダ（４０）方向に圧着されれば、係止用フック（８１）が上下駆動シリンダ（４０）及び薬物塗布器（６０）から分離されつつ、薬物塗布器（６０）が上下駆動シリンダ（４０）から脱去されるように導く保持用ばね（８４）と、前記連結片（８２）の終端部に設けられ、上下駆動シリンダ（４０）の上下流動によって係止用フック（８１）及び連結片（８２）が上下に動くとき、同時に動く摺動流動片（８５）と、前記摺動流動片（８５）と摺動結合されて摺動流動片（８５）の上下動を支持し、薬物塗布器（６０）を交替するときに上下駆動シリンダ（４０）方向にプッシュして連結片（８２）を押すことにより、連結片（８２）が回転保持用ヒンジ（８３）を中心に回転するようになり、係止用フック（８１）が上下駆動シリンダ（４０）及び薬物塗布器（６０）から分離されつつ、薬物塗布器（６０）が上下駆動シリンダ（４０）から脱去されるように導くプッシュボタン（８６）と、を備えて構成してもよい。
【００１９】
また、本発明の薬液塗布装置では、前記薬物塗布器（６０）は、容器形態からなり、頭皮または顔供給用薬物を収納した薬液保存手段（７０）をさらに内蔵させてなるものであってもよい。
【００２０】
また、本発明の薬液塗布装置では、前記ハウジング（１０）の下部に結合し、薬物塗布器（６０）の枠面下端に突出され、薬物塗布器（６０）を頭皮に衝突時に薬物塗布器（６０）と頭皮との間を所定間隔離隔させ、薬物が頭皮から所定距離離隔した状態で散布されるように導く間隔材（９０）をさらに備えて構成してもよい。
【００２１】
また、本発明の薬液塗布装置では、前記上下駆動シリンダ（４０）が左右に回転されず、上下動だけが可能なように第１のストッパ装置（１１０）を付設し、前記第１のストッパ装置（１１０）は、ハウジング（１０）の内周縁に設けられる一対のガイド用パネル（１１１）と、前記ガイド用パネル（１１１）に結合されるように上下駆動シリンダ（４０）の外周縁一端に設けられるガイド片（１１２）とからなるようにしてもよい。
【００２２】
また、本発明の薬液塗布装置では、前記薬物塗布器（６０）が上下に流動するとき、上下駆動シリンダ（４０）内部で回転されることを防止するために、第２のストッパ装置（１２０）を付設し、前記第２のストッパ装置（１２０）は、上下駆動シリンダ（４０）内部に設けられるガイドホール（１２１）と、薬物塗布器（６０）の外周縁に形成されるガイド突起（１２２）とを備えてなるようにしてもよい。
【００２３】
また、本発明の薬液塗布装置では、前記薬物塗布器（６０）の殺菌のための紫外線ＬＥＤ（１３０）をさらに設けてもよい。
【００２４】
また、本発明の薬液塗布装置では、前記薬物塗布器（６０）の外周縁には、ユーザに光治療効果を導く赤外線ＬＥＤ（１４０）をさらに設けてもよい。
【発明の効果】
【００２５】
上述したように、本発明は、薬物塗布器の円滑な昇下降がなされるとともに、回転作動がなされないという効果がある。
【００２６】
また、本発明は、ワンタッチによって薬物塗布器の結合及び分離が可能であるという効果がある。
【００２７】
また、本発明は、薬物塗布器の殺菌のために、殺菌用紫外線ＬＥＤを付設してリアルタイム殺菌が可能であるという効果がある。
【００２８】
また、本発明は、頭皮に赤外線を放射するための赤外線ＬＥＤグループを配置して治療効果を倍加させるという効果がある。
【図面の簡単な説明】
【００２９】
【図１】本発明の薬物塗布装置の全体構成図。
【図２】本発明の薬液塗布装置の構成図。
【図３】本発明の薬液塗布装置の底面図。
【図４】本発明の薬物塗布装置の全体分解斜視図。
【図５】本発明の薬液塗布装置の分解斜視図。
【図６】本発明の薬物塗布装置の断面図及び要部断面図。
【図７】本発明の薬液塗布装置の断面図及び要部断面図。
【図８】本発明の薬物塗布器周辺の要部分解斜視図。
【図９】本発明の薬物塗布器周辺の他の要部分解斜視図。
【図１０】本発明の回転モータ及び上下駆動シリンダの構成図。
【図１１】本発明の回転モータ及び上下駆動シリンダの要部拡大図。
【図１２】本発明の上下駆動シリンダが回転モータから下降する前の動作図。
【図１３】本発明の上下駆動シリンダが回転モータから下降した後の第１動作図。
【図１４】本発明の上下駆動シリンダが回転モータから下降した後の第２動作図。
【図１５】本発明の臨時固定手段の構成図。
【図１６】本発明の臨時固定手段の他の角度の構成図。
【図１７】本発明の第１のストッパ装置の構成図。
【図１８】本発明の第１のストッパ装置の他の角度の構成図。
【図１９】本発明の第２のストッパ装置の構成図。
【図２０】本発明の第２のストッパ装置の他の角度の構成図。
【発明を実施するための形態】
【００３０】
以下、添付された図面と説明を参照し、本発明の好ましい実施形態に対する動作原理を詳細に説明する。ただし、下記に図示される図面と後述する説明とは、本発明の特徴を効果的に説明するための種々の方法のうち、好ましい実施方法に関するものであり、本発明が下記の図面と説明だけに限定されるものではない。
【００３１】
また、下記において本発明を説明するにあって、関連した公知機能または構成に対する具体的な説明が本発明の要旨を不要に濁す恐れがあると判断される場合には、その詳細な説明を省略する。そして、後述する用語は、本発明における機能を考慮して定義された用語であって、これは、ユーザ、運用者の意図または慣例などによって変わることができる。したがって、その定義は、本発明において全般にわたった内容に基づいて下されるべきであろう。
【００３２】
また、以下に実施される本発明の好ましい実施形態は、本発明をなす技術的構成要素を効率的に説明するために、それぞれのシステム機能構成に既に備えられているか、または本発明の属する技術分野において通常的に備えられるシステム機能構成はなるべく省略し、本発明のために追加的に備えられなければならない機能構成を中心に説明する。
【００３３】
もし、本発明の属する技術分野における通常の知識を有する者であれば、下記に図示せずに省略された機能構成のうち、従来に既に使用されている構成要素の機能を容易に理解できるであろうし、また、上記のように省略された構成要素と本発明のために追加された構成要素との間の関係も明らかに理解できるであろう。
【００３４】
また、以下の実施形態は、本発明の核心的な技術的特徴を効率的に説明するために、本発明の属する技術分野における通常の知識を有する者が明らかに理解できるように、用語を適宜変形して使用するが、これにより本発明が限定されるものでは決してない。
【００３５】
結果的に、本発明の技術的思想は、請求の範囲により決定され、以下の実施形態は、進歩的な本発明の技術的思想を本発明の属する技術分野における通常の知識を有する者に効率的に説明するための１つの手段に過ぎない。
【００３６】
本発明の主な構成要素は、大別して、薬液塗布装置１００と、薬液塗布装置充電手段２００と、充電装置結合用ケース３００とからなる。前記薬液塗布装置１００は、頭皮に薬液を塗布するための装置であり、薬液塗布装置１００は、ハウジング１０と、バッテリ２０と、回転モータ３０と、上下駆動シリンダ４０と、昇下降保持用弾性ばね５０と、薬物塗布器６０と、薬液保存手段７０と、塗布器臨時固定手段８０と、間隔材９０とからなる。符号９１は、薬物塗布器６０の下部を閉鎖して、使用前に薬物塗布器６０を保護するための保護用キャップであり、符号９２は、薬液保存手段７０が薬物塗布器６０内部で動かないように密閉させるシーリングである。
【００３７】
前記ハウジング１０は、内部に空間部を有し、各種装置を内蔵してなる。すなわち、ハウジング１０は、一側が開放された２個のケースを各々相互接合して構成し、前記ケースが接合される過程で発生する空間部に各種装置が設けられるものである。このようなハウジング１０は、一般的に内部に空間部を有する手段等と類似した構造である。
【００３８】
前記バッテリ２０は、ハウジング１０の内部に設けられ、外部から電力の供給を受けて電気を充電後、装置に電気を提供する役割をする。すなわち、バッテリ２０は、ハウジング１０の上部に設けられ、外部電力供給装置と電気的に接続されて電気の供給を受け、供給された電力を臨時保存して電力が必要とする各種装置に電気を供給する。
【００３９】
前記回転モータ３０は、バッテリ２０に電気的に接続されて、バッテリ２０から電力の供給を受け、これを機械的な回転運動に変換させてモータ軸３１を自由回転させる。このとき、前記モータ軸３１は、底面が垂直方向に波形形状からなり、屈曲された波形形状が連続的に回転する形態である。すなわち、前記回転モータ３０は、バッテリ２０から電力の供給を受けて回転し、モータ軸３１の底面が屈曲された波形形状からなって回転する形態である。
【００４０】
前記上下駆動シリンダ４０は、前記回転モータ３０に機械的に連結し、回転モータ３０の回転を往復垂直運動に切り換えて上下に昇下降しながら流動する。このとき、上下駆動シリンダ４０の回転軸４１は、上部面が垂直方向に波形形状からなり、回転モータ３０のモータ軸３１の波形と相互結合及び分離を繰り返しながら昇下降動作をする。すなわち、上下駆動シリンダ４０は、回転モータ３０の回転によって昇下降動作がなされるように回転モータ３０のモータ軸３１と同様に回転軸が屈曲された波形形状からなり、これにより、回転モータ３０が回転すれば、上下駆動シリンダ４０は、昇下降動作をするようになる。
【００４１】
前記昇下降保持用弾性ばね５０は、上下駆動シリンダ４０の外周縁に設置し、一側がハウジング１０内側の係止爪に固定され、他側が上下駆動シリンダ４０の係止爪に固定され、上下駆動シリンダ４０を弾性支持して上下駆動シリンダ４０が昇下降作動を維持できるようにする。すなわち、昇下降保持用弾性ばね５０は、上下駆動シリンダ４０を上部方向に押し上げ続ける弾性作用をするので、回転モータ３０が回転時に回転モータ３０のモータ軸３１の波形と上下駆動シリンダ４０の回転軸４１の波形とが交差しながら上下駆動シリンダ４０が下降し、交差が終わった後、昇下降保持用弾性ばね５０によって上下駆動シリンダ４０が上昇しながら回転軸４１の波形と回転モータ３０のモータ軸３１の波形とが密着される。したがって、上下駆動シリンダ４０は、回転モータ３０に近接して離隔することが繰り返されて回転モータ３０を中心に上下駆動シリンダ４０が連続的に上下運動されるようになる。
【００４２】
前記薬物塗布器６０は、本体シリンダ形状であり、底面に薬物通過用ホール６１が複数個設けられてなり、前記上下駆動シリンダ４０の内側に嵌挿され、上下駆動シリンダ４０の動きに誘導して上下に流動しながら顔または頭皮に薬物を供給する役割をする。すなわち、薬物塗布器６０は、内部に保存される薬物を薬物通過用ホール６１を介して外部に排出されるようにし、このとき、薬物塗布器６０は、上下駆動シリンダ４０の内部に設けられるので、上下駆動シリンダ４０の上下作動時に薬物塗布器６０が打撃されて慣性の法則にしたがって外部に薬物を出力するようになる。また、前記薬物塗布器６０の底面に頭皮または顔を微細に刺すことができるように針６２をさらに備えてなり、前記針６２は、頭皮または顔皮膚に微細に傷を付けて薬物がより円滑に頭皮または顔皮膚に浸透するように導く。
【００４３】
前記薬液保存手段７０は、内部に頭皮または顔供給用薬物を収納した状態であり、薬物塗布器６０に挿設され、薬物塗布器６０の薬物通過用ホール６１を介して出力されて頭皮に薬液を供給させる。すなわち、前記薬液保存手段７０は、薬物を保存した状態であり、下部が開放された形態で薬物塗布器６０に結合され、上下駆動シリンダ４０が駆動時に薬液保存手段７０の薬物が外部に出力されるようになる。実際に、薬物通過用ホール６１は、微細に形成されているので、上下駆動シリンダ４０が作動しないときには、容易に外部に排出されない。合わせて、上下駆動シリンダ４０が動作しないときには、薬物が外部に排出しされないように保護用キャップ９１がさらに備えられて上下駆動シリンダ４０の下部を密閉させる。
【００４４】
前記塗布器臨時固定手段８０は、一側が薬物塗布器６０に結合され、他側がハウジング１０の一端に結合され、ハウジング１０を基準に上下駆動シリンダ４０及び薬物塗布器６０を同時に臨時固定して、上下駆動シリンダ４０及び薬物塗布器６０が昇下降に流動しながらも、薬物塗布器６０が重力作用によって下方へ落ちることを防ぎ、薬物塗布器６０を交替する場合、ボタンを押してハウジング１０を基準に薬物塗布器６０の固定を解除させて薬物塗布器６０が上下駆動シリンダ４０から脱離して下部に脱去されるようにする。すなわち、塗布器臨時固定手段８０は、上下駆動シリンダ４０及び薬物塗布器６０を臨時に固定して、動作時に薬物塗布器６０が脱去されることを防止し、薬物塗布器６０内部に存在する薬物を全て使用した後には、ボタンを押して薬物塗布器６０を解除後、薬液保存手段７０を再収納させるように導く。もちろん、薬物塗布器６０に薬液保存手段７０を省略し直接薬物を保存させることもできる。
【００４５】
前記間隔材９０は、ハウジング１０の下部に結合し、薬物塗布器６０の枠面下端に突出され、薬物塗布器６０を頭皮に衝突時に薬物塗布器６０と頭皮との間を所定間隔離隔させて、薬物が頭皮から所定距離離隔した状態で散布されるように導く。すなわち、前記間隔材は、ハウジング１０の下部に位置して、頭皮や顔から薬物塗布器６０を所定間隔離隔させて薬物塗布器６０が所定の高さで頭皮または顔に薬物を出力するように導くものである。
【００４６】
前記塗布器臨時固定手段８０は、係止用フック８１と、連結片８２と、回転保持用ヒンジ８３と、保持用ばね８４と、摺動流動片８５と、プッシュボタン８６とからなる。
【００４７】
前記係止用フック８１は、終端が鋭いくさび形態からなり、上下駆動シリンダ４０の結合ホール４０ａ及び薬物塗布器６０の結合ホール６０ａを介して強制嵌挿されて、薬物塗布器６０が上下駆動シリンダ４０の内周縁に結合された状態を維持させる。
【００４８】
前記連結片８２は、係止用フック８１に斜線方向に一体に連結され、回転運動によって係止用フック８１が時計方向または反時計方向に動くように導く。
【００４９】
前記回転保持用ヒンジ８３は、連結片８２と係止用フック８１との間に設けられ、連結片８２が回転される中心軸の役割をする。
【００５０】
前記保持用ばね８４は、連結片８２と上下駆動シリンダ４０との間に設けられて、連結片８２を外側に押して係止用フック８１が時計反対方向に流動して薬物塗布器６０が上下駆動シリンダ４０に結合された状態を維持させる機能をし、外部の力によって連結片８２が押されて上下駆動シリンダ４０方向に圧着されれば、係止用フック８１が上下駆動シリンダ４０及び薬物塗布器６０から分離されつつ、薬物塗布器６０が上下駆動シリンダ４０から脱去されるように導く。
【００５１】
前記摺動流動片８５は、連結片８２の終端部に設けられ、上下駆動シリンダ４０の上下流動によって係止用フック８１及び連結片８２が上下に動くとき、同時に動く。
【００５２】
前記プッシュボタン８６は、前記摺動流動片８５と摺動結合されて摺動流動片８５の上下動を支持し、薬物塗布器６０を交替するときに上下駆動シリンダ４０方向にプッシュして連結片８２を押すことにより、連結片８２が回転保持用ヒンジ８３を中心に回転するようになり、係止用フック８１が上下駆動シリンダ４０及び薬物塗布器６０から分離されつつ、薬物塗布器６０が上下駆動シリンダ４０から脱去されるように導く機能をする。
【００５３】
また、本発明は、上下駆動シリンダ４０が左右に回転されず、上下動だけが可能なように第１のストッパ装置１１０を付設するところ、前記第１のストッパ装置１１０は、ハウジング１０の内周縁に設けられる一対のガイド用パネル１１１と、前記ガイド用パネルに結合されるように上下駆動シリンダ４０の外周縁一端に設けられるガイド片１１２とからなる。
【００５４】
そして、前記上下駆動シリンダ４０が上下に往復運動をするときには、前記上下駆動シリンダ４０の外周縁に設けられるガイド片１１２がハウジング１０の内周縁に設けられるガイド用パネル１１１に沿って流動するので、回転運動が起らないようになり、これにより、上下往復に完全に力を加えることができる。
【００５５】
また、本発明は、薬物塗布器６０が上下に流動するとき、上下駆動シリンダ４０内部で回転されることを防止するために、第２のストッパ装置１２０を付設するところ、前記第２のストッパ装置１２０は、上下駆動シリンダ４０内部に設けられるガイドホール１２１と、薬物塗布器６０の外周縁に形成されるガイド突起１２２とを備えてなる。これにより、上下駆動シリンダ４０の上下往復運動時に薬物塗布器６０が同時に上下往復運動をするが、上下駆動シリンダ４０内部で回転されることを遮断できる。
【００５６】
また、本発明は、薬物塗布器６０の殺菌のための紫外線ＬＥＤ１３０を電気供給装置にさらに設け、合わせて、薬物塗布器６０の外周縁には、ユーザに光治療効果を導く赤外線ＬＥＤ１４０をさらに設けてなる。
【００５７】
参考として、赤外線ＬＥＤ１４０は、２つの種類を混合して設けることができるところ、６３０−６６０ｎｍ帯域の波長を出力するＬＥＤと、８３０−８９０ｎｍ帯域の波長を出力するＬＥＤを設けることができる。前記６３０−６６０ｎｍ帯域の波長は、老化防止に効果があり、８３０−８９０ｎｍ帯域の波長は、痛み緩和に効果がある。本発明は、痛み緩和と老化防止の効果がある赤外線ＬＥＤを適用して、ユーザに付加的な助けを与えることができるようにする。
【符号の説明】
【００５８】
１００  薬液塗布装置
２００  薬液塗布装置充電手段
３００  充電装置結合用ケース
１０  ハウジング
２０  バッテリ
３０  回転モータ
４０  上下駆動シリンダ
５０  昇下降保持用弾性ばね
６０  薬物塗布器
７０  薬液保存手段
８０  塗布器臨時固定手段
９０  間隔材
【図１】
2019198463.tif 000003
【図２】
2019198463.tif 000004
【図３】
2019198463.tif 000005
【図４】
2019198463.tif 000006
【図５】
2019198463.tif 000007
【図６】
2019198463.tif 000008
【図７】
2019198463.tif 000009
【図８】
2019198463.tif 000010
【図９】
2019198463.tif 000011
【図１０】
2019198463.tif 000012
【図１１】
2019198463.tif 000013
【図１２】
2019198463.tif 000014
【図１３】
2019198463.tif 000015
【図１４】
2019198463.tif 000016
【図１５】
2019198463.tif 000017
【図１６】
2019198463.tif 000018
【図１７】
2019198463.tif 000019
【図１８】
2019198463.tif 000020
【図１９】
2019198463.tif 000021
【図２０】
2019198463.tif 000022